(57)【特許請求の範囲】
【請求項１】
画像が表示される表示面に情報を手書き入力するための手書入力装置と、手書き入力される前記情報の筆跡を前記表示面に表示させるための筆跡データを生成する筆跡データ生成装置と、を備える筆跡データ生成システムであって、
前記手書入力装置は、
当該手書入力装置の位置および状態の少なくとも一方を示す信号を送信する信号送信部を有し、
前記信号は、前記手書入力装置が備えるバッテリーの残量を示す情報を含み、
前記筆跡データ生成装置は、
前記筆跡データを生成する筆跡データ生成部と、
前記信号の内容に応じて前記筆跡が異なる表示形態で前記表示面に表示されるように前記筆跡データを変更する筆跡データ変更部と、
キャンセル信号を前記筆跡データ変更部へ出力するキャンセル信号生成部を有し、
前記筆跡データ変更部は、前記バッテリーの残量に応じて前記筆跡が異なる表示形態で前記表示面に表示されるように前記筆跡データを変更し、前記キャンセル信号が入力されたことに応じて前記筆跡データを変更前の状態に戻すことを特徴とする筆跡データ生成システム。
【請求項２】
前記筆跡データ生成装置は、
前記信号を受信する信号受信部を有し、
前記筆跡データ変更部は、受信した前記信号の受信状態に応じて前記筆跡データを変更することを特徴とする請求項１に記載の筆跡データ生成システム。
【請求項３】
前記筆跡データ変更部は、前記信号の内容に応じて前記筆跡が異なる濃度で前記表示面に表示されるように前記筆跡データを変更することを特徴とする請求項１または請求項２に記載の筆跡データ生成システム。
【請求項４】
前記筆跡データ変更部は、前記信号の内容に応じて前記筆跡が異なる線種で前記表示面に表示されるように前記筆跡データを変更することを特徴とする請求項１から３のいずれか１項に記載の筆跡データ生成システム。
【請求項５】
前記筆跡データ変更部は、前記筆跡データを変更したことに応じて、前記信号の内容に応じたメッセージを前記表示面に表示させることを特徴とする請求項１から４のいずれか１項に記載の筆跡データ生成システム。
【請求項６】
投射面に画像を投射するプロジェクターと、前記投射面に情報を手書き入力するための手書入力装置と、手書き入力される前記情報の筆跡を前記表示面に表示させるための筆跡データを生成する筆跡データ生成装置と、を備える筆跡データ生成システムであって、
前記手書入力装置は、
当該手書入力装置の状態を示す信号を送信する信号送信部を有し、
前記信号は、前記手書入力装置が備えるバッテリーの残量を示す情報を含み、
前記プロジェクターは、
前記画像を前記投射面に投射する投射部と、
前記信号を受信する信号受信部を有し、
前記筆跡データ生成装置は、
前記筆跡データを生成する筆跡データ生成部と、
前記信号の内容に応じて前記筆跡が異なる表示形態で前記表示面に表示されるように前記筆跡データを変更する筆跡データ変更部と、
キャンセル信号を前記筆跡データ変更部へ出力するキャンセル信号生成部を有し、
前記筆跡データ変更部は、前記バッテリーの残量に応じて前記筆跡が異なる表示形態で前記表示面に表示されるように前記筆跡データを変更し、前記キャンセル信号が入力されたことに応じて前記筆跡データを変更前の状態に戻すことを特徴とする筆跡データ生成システム。
【請求項７】
画像が表示される表示面に対して手書入力装置を用いて手書き入力される情報の筆跡を前記表示面に表示させるための筆跡データを生成する筆跡データ生成方法であって、
前記手書入力装置が備えるバッテリーの残量の状態に応じて前記筆跡が異なる表示形態で前記表示面に表示されるように前記筆跡データを変更し、キャンセル信号が入力されたことに応じて前記筆跡データを変更前の状態に戻すことを特徴とする筆跡データ生成方法。
【請求項８】
コンピューターを、画像が表示される表示面に対して手書入力装置を用いて手書き入力される情報の筆跡を前記表示面に表示させるための筆跡データを生成する筆跡データ生成装置として機能させるプログラムあって、
手書き入力される前記情報の前記筆跡データを生成する筆跡データ生成部と、
前記手書入力装置が備えるバッテリーの残量の状態に応じて前記筆跡が異なる表示形態で前記表示面に表示されるように前記筆跡データを変更する筆跡データ変更部と、
キャンセル信号を前記筆跡データ変更部へ出力するキャンセル信号生成部を有し、
前記筆跡データ変更部は、前記キャンセル信号が入力されたことに応じて前記筆跡データを変更前の状態に戻す前記筆跡データ生成装置として前記コンピューターを機能させるプログラム。
【発明の詳細な説明】
【技術分野】
【０００１】
本発明は、筆跡データ生成システム、筆跡データ生成方法、およびプログラムに関し、特に、表示面に表示されている画像上に、電子ペンなどの手書入力装置によって手書き入力された情報の筆跡を前記表示面に表示させるための筆跡データを筆跡データ生成装置によって生成することのできる筆跡データ生成システム、筆跡データ生成方法、およびプログラムに関する。
【背景技術】
【０００２】
従来、ペンやマーカーなどを使って黒板やホワイトボードなどに文字や図形を物理的に記載することが一般的であったが、最近では、検出機構を備えた記録面に対して電子ペンなどを用いて手書き入力した文字などの筆跡をリアルタイムで検出して表示装置の画面上に表示させることのできる筆跡入力システムが知られている（例えば特許文献１参照）。
【０００３】
また、日本スマート・テクノロジーズ社のＳＭＡＲＴ  Ｂｏａｒｄ（登録商標）のように、コンピューターに接続された液晶プロジェクターを用いて文字・絵・図形・グラフィックの画像をパネルに投射した状態で、パネルの投射面（表示面）の前面に配された座標入力／検出装置（書き込み面）に専用のペンなどで手書き入力された情報をコンピューターに取り込み、コンピューター内で手書き入力された情報と画像データとを合成して液晶プロジェクターによって投射面にリアルタイムで表示させることができるシステムも知られている。
【先行技術文献】
【特許文献】
【０００４】
【特許文献１】特開２００８−１３９９９１号公報
【発明の概要】
【発明が解決しようとする課題】
【０００５】
ところで、特許文献１に開示されているような、電子ペンから無線で出力される信号を記録面側で検出するシステムでは、電子ペンに組み込まれたバッテリーの残量が少なくなったり、電子ペンからの信号の受信強度が弱くなると、文字などの書き込みを適切に行うことができなくなるものが多い。そこで、このような状態に至ったことを警告音や警告メッセージでユーザーに知らせたり、バッテリーの残量や通信感度などを電子ペンに表示部を設けて表示させるなどの方法が知られている。
【０００６】
しかしながら、バッテリーの残量が少なくなったり、電子ペンからの信号の受信強度が弱くなる度に警告音が鳴ったり警告メッセージが表示されるとユーザーは文字などの書き込みを集中して行うことができない。また、電子ペンにバッテリーの残量などが表示される表示部を設けても、記録面や手元の資料を見ながら書き込みを行っているユーザーは、表示部の表示内容を確認する度に記録面への書き込みを中断せざるを得なくなる。
【課題を解決するための手段】
【０００７】
上記課題を解決することを目的とし、本発明は、画像が表示される表示面に対して情報を手書き入力するための手書入力装置と、手書き入力される前記情報の筆跡を前記表示面に表示させるための筆跡データを生成する筆跡データ生成装置と、を備える筆跡データ生成システムであって、前記手書入力装置は、当該手書入力装置の位置および状態の少なくとも一方を示す信号を送信する信号送信部を有し、前記筆跡データ生成装置は、前記筆跡データを生成する筆跡データ生成部と、前記信号の内容に応じて前記筆跡が異なる表示形態で前記表示面に表示されるように前記筆跡データを変更する筆跡データ変更部を有することを特徴とする筆跡データ生成システムを提供する。
【０００８】
このような筆跡データ生成システムによれば、手書き入力中のユーザーは、例えばバッテリーの残量が少なくなっているなどの手書入力装置の状態を、書き込み中の文字などの筆跡の変化から容易に知ることができる。
【０００９】
また、上記筆跡データ生成システムにおいて、前記信号は、前記手書入力装置が備えるバッテリーの残量を示す情報を含み、前記筆跡データ変更部は、前記バッテリーの残量に応じて前記筆跡が異なる表示形態で前記表示面に表示されるように前記筆跡データを変更することが好ましい。
【００１０】
これにより、手書き入力中のユーザーは、手書入力装置のバッテリーの残量が少なくなっていることを、書き込み中の文字などの筆跡の変化から容易に知ることができる。
【００１１】
また、上記筆跡データ生成システムにおいて、前記筆跡データ生成装置は、前記信号を受信する信号受信部を有し、前記筆跡データ変更部は、前記信号の受信状態に応じて前記筆跡データを変更することが好ましい。
【００１２】
これにより、手書き入力中のユーザーは、例えば手書入力装置から送信される信号の受信感度が低下していることを、書き込み中の文字などの筆跡の変化から容易に知ることができる。
【００１３】
また、上記筆跡データ生成システムにおいて、前記筆跡データ変更部は、前記信号の内容に応じて前記筆跡が異なる濃度で前記表示面に表示されるように前記筆跡データを変更することが好ましい。
【００１４】
これにより、手書き入力中のユーザーは、手書入力装置の状態を、書き込み中の文字などの筆跡が薄い色で表示されるなどの変化を手掛かりとして容易に知ることができる。
【００１５】
また、上記筆跡データ生成システムにおいて、前記筆跡データ変更部は、前記信号の内容に応じて前記筆跡が異なる線種で前記表示面に表示されるように前記筆跡データを変更することが好ましい。
【００１６】
これにより、手書き入力中のユーザーは、手書入力装置の状態を、書き込み中の文字などの筆跡が破線など異なる種類の線で表示されるなどの変化を手掛かりとして容易に知ることができる。
【００１７】
また、上記筆跡データ生成システムにおいて、前記筆跡データ変更部は、前記筆跡データを変更したことに応じて、前記信号の内容に応じたメッセージを前記表示面に表示させることが好ましい。
【００１８】
これにより、手書き入力中のユーザーは、例えば手書入力装置のバッテリーの残量が少なくなっていることを、表示面に表示されるメッセージからも知ることができる。
【００１９】
また、上記筆跡データ生成システムにおいて、前記筆跡データ生成装置は、予め設定された条件を満たした場合に、キャンセル信号を前記筆跡データ変更部へ出力するキャンセル信号生成部を更に有し、前記筆跡データ変更部は、所定条件を満たしたことを示すキャンセル信号が入力されたことに応じて前記筆跡データを変更前の状態に戻すことが好ましい。
【００２０】
また、上記筆跡データ生成システムにおいて、前記筆跡データ生成装置は、前記筆跡データ変更部により変更される前の前記筆跡データを記憶する筆跡データ記憶部をさらに有することが好ましい。
【００２１】
これにより、ユーザーへの警告などのために表示面に筆跡を表示させるための筆跡データを変更しつつ、記憶する筆跡データには当該変更を行わないので、手書き入力された文字などの筆跡をそのままのデータとして保存することができる。
【００２２】
また、本発明は、他の形態として、投射面に画像を投射するプロジェクターと、前記投射面に情報を手書き入力するための手書入力装置と、手書き入力される前記情報の筆跡を前記表示面に表示させるための筆跡データを生成する筆跡データ生成装置と、を備える筆跡データ生成システムであって、前記手書入力装置は、当該手書入力装置の状態を示す信号を送信する信号送信部を有し、プロジェクターは、前記画像を前記投射面に投射する投射部と、前記信号を受信する信号受信部を有し、前記筆跡データ生成装置は、前記筆跡データを生成する筆跡データ生成部と、前記信号の内容に応じて前記筆跡が異なる表示形態で前記表示面に表示されるように前記筆跡データを変更する筆跡データ変更部を有することを特徴とする筆跡データ生成システムを提供する。
【００２３】
また、本発明は、さらに他の形態として、画像が表示される表示面に対して手書入力装置を用いて手書き入力される情報の筆跡を前記表示面に表示させるための筆跡データを生成する筆跡データ生成方法であって、前記手書入力装置の状態に応じて前記筆跡が異なる表示形態で前記表示面に表示されるように前記筆跡データを変更することを特徴とする筆跡データ生成方法を提供する。
【００２４】
また、本発明は、さらに他の形態として、コンピューターを、画像が表示される表示面に対して手書入力装置を用いて手書き入力される情報の筆跡を前記表示面に表示させるための筆跡データを生成する筆跡データ生成装置として機能させるプログラムあって、手書き入力される前記情報の前記筆跡データを生成する筆跡データ生成部と、前記手書入力装置の状態に応じて前記筆跡が異なる表示形態で前記表示面に表示されるように前記筆跡データを変更する筆跡データ変更部と、有する前記筆跡データ生成装置として前記コンピューターを機能させるプログラムを提供する。
【図面の簡単な説明】
【００２５】
【図１】本発明の実施形態に係る筆跡データ生成システム１０の概略構成図である。
【図２】手書入力装置２００の概略構成図である。
【図３】本システムを用いてスクリーンの投射面に文字や図形などを手書き入力する際の本システムにおける処理フローの一例を示す。
【図４】本システムを用いてスクリーンの投射面に文字や図形などを手書き入力する際の本システムにおける処理フローの一例を示す。
【図５】手書入力装置２００によって投射面に文字を手書き入力している様子を示す図である。
【図６】手書入力装置２００によって投射面に文字を手書き入力している様子を示す図である。
【図７】手書入力装置２００によって投射面に文字を手書き入力している様子を示す図である。
【図８】手書入力装置２００によって投射面に文字を手書き入力している様子を示す図である。
【図９】手書入力装置２００によって投射面に文字を手書き入力している様子を示す図である。
【図１０】手書入力装置２００によって投射面に文字を手書き入力している様子を示す図である。
【図１１】直上投射型のプロジェクター１００を用いてスクリーンの投射面に投射画像を投射する様子を示す正面図である。
【図１２】直上投射型のプロジェクター１００を用いてスクリーンの投射面に投射画像を投射する様子を示す側面図である。
【発明を実施するための形態】
【００２６】
以下、添付図面に基づいて本発明の一実施形態について説明するが、以下の実施形態は特許請求の範囲にかかる発明を限定するものではなく、また、実施形態における特徴の組み合わせの全てが発明の解決手段に必須であるとは限らない。
【００２７】
図１は、本発明の実施形態に係る筆跡データ生成システム１０の概略構成図である。本実施形態の筆跡データ生成システム１０は、図１に示すように、プロジェクター１００、手書入力装置２００、およびパーソナルコンピューター（ＰＣ）５０で構成される。なお、ＰＣ５０は、本発明における筆跡データ生成装置の一例である。
【００２８】
プロジェクター１００は、光源であるランプ１１０が放射した光を、光の３原色成分（赤色光、青色光、緑色光）に分離し、ＰＣ５０から供給される画像データに応じて、光学部１１１に含まれる光変調素子である各色光用の液晶ライトバルブ（図示せず）により、各色の光を変調し、再度合成してスクリーンなどの表示面（以下、「投射面」と称する）に投射する、いわゆる「液晶３板式プロジェクター」である。
【００２９】
プロジェクター１００は、プロジェクター１００を操作するための複数の操作用ボタンなどを備えたリモートコントローラー（リモコン）３１０により操作することができる。また、プロジェクター１００は、後述の通信部１１９を介してＰＣ５０から各種の操作信号を与えることによっても操作することができる。また、プロジェクター１００は、本体上面に、リモコン３１０と同様の操作用ボタンを備えた操作パネル（図示せず）を備えてもよい。
【００３０】
プロジェクター１００は、ランプ１１０、光学部１１１、液晶パネル駆動部１１２、ランプ駆動部１１３、電源部１１４、操作受付部１１５、制御部１１６、記憶部１１７、画像処理部１１８、通信部１１９、Ｉ／Ｏブリッジ部１２０、赤外光検出部１６０、および超音波検出部１７０などから構成されている。なお、赤外光検出部１６０および超音波検出部１７０は、本発明における信号受信部の一例である。また、以下において、ランプ１１０、光学部１１１、液晶パネル駆動部１１２、およびランプ駆動部１１３をまとめて投射部１５０と称する。
【００３１】
ランプ１１０は、例えば、高圧水銀ランプや、メタルハライドランプ及びハロゲンランプなどの高輝度が得られる放電式ランプである。光学部１１１は、赤色、緑色、青色の各色光用の液晶ライトバルブと、ランプ１１０が放射する白色光を輝度分布の安定した略平行光に変換するインテグレーター光学系と、輝度分布の安定した白色光を光の３原色である赤色、緑色、青色の各色光成分に分離して各色光用の液晶ライトバルブに供給する分離光学系と、液晶ライトバルブにて各色光毎に画像信号に応じて変調された各色光を再度合成する合成光学系（いずれも図示せず）とを含んで構成されている。光学部１１１は、合成光学系から射出されるフルカラーで略平行な変調光を内蔵する投射レンズで拡大した投射光により、スクリーンにフルカラー映像を投射する。
【００３２】
液晶パネル駆動部１１２は、光学部１１１の液晶ライトバルブに対して画像処理部１１８から入力される画像信号とともに駆動電圧などを供給し、液晶ライトバルブに投射画像を写し出す。
【００３３】
ランプ駆動部１１３は、電源部１１４からの電力供給を受け、ランプ１１０を点灯するために高電圧を発生して放電経路を形成するイグナイター回路と、点灯後の安定した点灯状態を維持するためのバラスト回路（いずれも図示せず）とを備えている。
【００３４】
電源部１１４は、外部電源３２０からの交流電力をプラグから導き、内蔵するＡＣ／ＤＣ変換部（いずれも図示せず）にて変圧、整流および平滑するなどの処理を施すことにより安定化させた直流電圧をプロジェクター１００の各部に供給する。
【００３５】
操作受付部１１５は、リモコン３１０またはＰＣ５０からの操作信号を受け付けてその操作内容を含む操作開始命令を制御部１１６へ送る。
【００３６】
制御部１１６は、例えば高速の演算処理が可能な中央演算処理装置（Central Processing Unit）であり、操作受付部１１５からの操作開始命令に基づいて、プロジェクター１００の各部に対して動作のトリガーとなる制御信号を送るとともに、各部から設定や動作結果を示す信号を受け取る。
【００３７】
記憶部１１７は、例えば、フラッシュメモリーなどデータの書き換えが可能な不揮発性のメモリーおよびハードディスクにより構成されている。記憶部１１７は、例えば、プロジェクター１００を起動させるときの起動ルーチンなど、プロジェクター１００の動作を制御するための様々なプログラムおよび付随するデータを記憶する。また、記憶部１１７は、投射部１５０によりスクリーンの投射面に投射される画像の画像データ（以下、「投射データ」と称する）がＰＣ５０から供給されると、その投射データを受け取って記憶する。
【００３８】
通信部１１９は、例えば公知の何れかの無線ＬＡＮ規格に対応した無線ＬＡＮカードであり、ＰＣ５０における後述のＰＣ通信部５１との間で各種のデータを送受信する。
【００３９】
Ｉ／Ｏブリッジ部１２０は、通信部１１９の無線ＬＡＮカードを制御するためのＰＣＭＣＩＡ（Personal Computer Memory Card International Association）に対応したカードコントローラーを搭載している。
【００４０】
赤外光検出部１６０は、赤外光を受光可能な受光素子（光電変換素子）およびＡ／Ｄ変換回路を有し、手書入力装置２００における後述の発光部２１５から出力される赤外光を受光する。具体的には、赤外光検出部１６０は、発光部２１５からの赤外光を受光素子で受光し、その受光強度に応じた電圧値のアナログ信号に変換してＡ／Ｄ変換回路へ出力する。そして、Ａ／Ｄ変換回路で上記アナログ信号をその電圧値に応じてＨまたはＬのデジタル信号に変換して出力する。また、赤外光検出部１６０は、上記赤外光を受光したタイミングおよび受光しなくなったタイミングを示す受光タイミングデータを生成して出力する。
【００４１】
なお、本例では、後述のように、手書入力装置２００の発光部２１５は、手書入力装置２００により投射面に文字などを手書き入力しているときだけ赤外光を発光する。また、発光部２１５は、後述のように、手書入力装置２００が備えるバッテリーの残量に応じた周波数でパルス発光する。したがって、上記受光タイミングデータは、手書入力装置２００により投射面に文字などが手書き入力されていた時間と、手書入力装置２００が備えるバッテリーの残量を示すものとなる。
【００４２】
超音波検出部１７０は、２組の超音波受信器およびＡ／Ｄ変換回路と、信号処理回路とを有し、手書入力装置２００における後述の超音波出力部２１６から送信される超音波信号を受信する。具体的には、超音波検出部１７０は、超音波出力部２１６からの超音波信号をそれぞれの超音波受信器で受信し、その受信状態、例えば受信する信号レベルに応じた電圧値のアナログ信号に変換して各超音波受信器から対応するＡ／Ｄ変換回路へ出力する。そして、それぞれのＡ／Ｄ変換回路で上記アナログ信号をその電圧値に応じてＨまたはＬのデジタル信号に変換して出力する。
【００４３】
そして、超音波検出部１７０は、上記信号処理回路において、それぞれのＡ／Ｄ変換回路からの上記デジタル信号から各超音波受信器における超音波信号の受信タイミングの時間差を予め定められた単位時間毎に検出する。ここで、上記時間差の検出は、例えば２組の超音波受信器で受信したそれぞれの超音波信号がパルス信号または正弦波信号などの一定の周期性を有する信号である場合は、それぞれの信号の位相差が上記信号処理回路で求められ、当該位相差から演算処理によって求められる。
【００４４】
超音波検出部１７０は、検出した上記時間差を示す受信時間差データを生成して出力する。また、超音波検出部１７０は、上記信号処理回路において、上記受信時間差データに加えて、上記単位時間毎の超音波信号の受信状態（信号レベル）を示す信号レベルデータを生成して出力する。したがって、超音波検出部１７０から出力される上記受信時間差データおよび上記信号レベルデータは、手書入力装置２００により投射面に文字などが手書き入力されている入力位置と、超音波検出部１７０による超音波信号の受信状態（信号レベル）を示すものとなる。
【００４５】
続いて、ＰＣ５０の概略構成について説明する。ＰＣ５０は、ＰＣ通信部５１、ＰＣ表示部５２、ＰＣ電源部５３、ＰＣＩ／Ｏブリッジ部５４、ＰＣハードディスク５５、ＰＣ制御部５６、ＰＣ記憶部５７、ＰＣ操作部５８、ＰＣ操作受付部５９、筆跡データ生成部６０、筆跡データ変更部７０、およびキャンセル信号生成部８０を備える。なお、プロジェクター１００の各構成の名称と区別するため、上記のように、筆跡データ生成部６０、筆跡データ変更部７０、およびキャンセル信号生成部８０以外のＰＣ５０の各構成の名称には「ＰＣ」を附した。また、ＰＣハードディスク５５は、本発明における筆跡データ記憶部の一例である。
【００４６】
ＰＣ通信部５１は、プロジェクター１００の通信部１１９との間で各種データの送受信を行う。ＰＣ表示部５２は、ＣＲＴあるいはＬＣＤなどの表示装置であり、例えばプロジェクター１００によってスクリーンの投射面上に表示させている画像などを表示する。また、ＰＣ表示部５２は、各種のコマンドやアイコンなどを表示してもよい。
【００４７】
ＰＣ電源部５３は、外部電源３２０からの交流電力をプラグから導き、内蔵するＡＣ／ＤＣ変換部（いずれも図示せず）にて変圧、整流および平滑するなどの処理を施すことにより安定化させた直流電圧をＰＣ５０の各部に供給する。なお、ＰＣ５０がノート型ＰＣなど携行性を有する場合は、ＰＣ電源部５３は、充電式のリチウムイオン電池などを有してもよい。
【００４８】
ＰＣＩ／Ｏブリッジ部５４は、ＰＣ通信部５１（無線ＬＡＮカード）を制御するためのＰＣＭＣＩＡに対応したカードコントローラーや、ＰＣハードディスク５５を制御するためのハードディスクコントローラーなどの各種デバイスコントローラーを搭載している。
【００４９】
ＰＣハードディスク５５は、例えばＩＤＥに対応したハードディスクであり、基本ソフトであるＯＳ（Operating System）や、プロジェクター１００の制御ソフトウェアなどのプログラムを記憶する。なお、ＰＣハードディスク５５は、ネットワークブラウザ、あるいは文書作成やプレゼンテーションに用いられる各種ビジネス用ソフトなどのプログラムをさらに記憶してもよい。
【００５０】
ＰＣ制御部５６は、例えば高速の演算処理が可能な中央演算処理装置（Central Processing Unit）であり、ＰＣ操作受付部５９からの信号に基づいて、ＰＣ５０の各部に対して動作のトリガーとなる制御信号を送るとともに、各部から動作内容や動作結果を示す信号を受け取る。また、ＰＣ制御部５６は、プロジェクター１００と接続するための接続プログラム、および、ＰＣ通信部５１により通信を行うための各種プロトコルプログラムなどのＰＣ５０の動作を制御するための様々なプログラムを実行する。
【００５１】
ＰＣ記憶部５７は、例えばフラッシュメモリーなどデータの書き換えが可能な不揮発性のメモリーにより構成されている。ＰＣ記憶部５７は、ＰＣ制御部５６で実行されるプログラムなどのＰＣ５０の動作を制御するための様々なプログラムや、当該プログラムに付随するデータ類を記憶している。なお、これらのプログラムおよびデータは、ＰＣハードディスク５５に記憶されていても良い。
【００５２】
ＰＣ操作部５８は、キーボードおよびマウスであり、例えば、ＰＣ５０を起動およびシャットダウン、あるいはプレゼンテーション用の資料を表示させるための各種の操作入力が行われる。ＰＣ操作受付部５９は、ＰＣ操作部５８への操作入力を検出し、その操作内容を示す信号をＰＣ制御部５６へ送る。
【００５３】
筆跡データ生成部６０は、プロジェクター１００の赤外光検出部１６０から出力される上記受光タイミングデータ、および超音波検出部１７０から出力される上記受信時間差データおよび信号レベルデータをＰＣ通信部５１を介して受け取り、時系列で記憶する。そして、筆跡データ生成部６０は、記憶した上記各データを順次に読み出し、当該各データに基づいて、ユーザーが手書入力装置２００を用いて文字や図形などを手書き入力している入力位置を特定する。本例では、筆跡データ生成部６０は、フラッシュメモリーなどデータの書き換えが可能な不揮発性のメモリーおよび演算処理回路などにより構成される。
【００５４】
より具体的には、例えば図１に示すように、ユーザーが手書入力装置２００の先端をスクリーンの投射面に押しつけて文字や図形などの情報を手書き入力している場合は、上記のように、赤外光検出部１６０および超音波検出部１７０から、手書入力装置２００から送信される赤外光や超音波信号（以下、これらをまとめて「信号」とまとめて称する）に基づいて生成された受信時間差データ、信号レベルデータ、および受光タイミングデータが出力される。そして、筆跡データ生成部６０は、これらの各データのうち、上記受信時間差データに基づいて、超音波検出部１７０の各超音波受信器から手書入力装置２００の先端までの距離を算出する。
【００５５】
そして、筆跡データ生成部６０は、上記受光タイミングデータから、手書入力装置２００の先端位置を手書き入力位置（図１で「Ｐ」を付して示す位置）としてその座標を特定する。そして、筆跡データ生成部６０は、投射面上の上記入力位置の移動軌跡上に予め設定された太さや色の線を表示させるための筆跡データを生成する。そして、筆跡データ生成部６０は、ＰＣ５０からプロジェクター１００に供給される投射データに生成した筆跡データを合成する。
【００５６】
筆跡データ変更部７０は、上記信号の内容を示す上記各データに基づいて手書入力装置２００により手書き入力された文字や図形などの筆跡が異なる表示形態で投射面に投射されるように筆跡データ生成部６０によって生成される筆跡データを変更する。ここで、「筆跡が異なる表示形態で投射面に投射される」とは、例えば上記筆跡が設定とは異なる太さや色、あるいは濃度などで投射される状態を指す。
【００５７】
例えば、筆跡データ変更部７０は、赤外光検出部１６０から出力される上記受光タイミングデータが、電源部２１２のバッテリーの残量が予め定められた警告レベルを下回っていることを示したことに応じて、手書入力装置２００による入力中の文字の筆跡がこれまでに入力した文字の筆跡よりも薄い色の線で表示されるように筆跡データを変更する。また、筆跡データ変更部７０は、超音波検出部１７０から出力される上記信号レベルデータが、超音波検出部１７０による超音波信号の信号レベルが予め定められたレベル（警告レベル）を下回っていることを示した、すなわち、超音波信号の受信強度が検出可能な下限レベルに近づいたことに応じて、手書入力装置２００による入力中の文字の筆跡がこれまでに入力した文字の筆跡と異なる種類の線で表示されるように筆跡データを変更する。
【００５８】
また、筆跡データ変更部７０は、筆跡データを変更したことに応じて、上記信号の内容に応じたメッセージを投射面に表示させる。例えば、筆跡データ変更部７０は、上記信号レベルデータが、超音波検出部１７０による超音波信号の信号レベルが予め定められたレベル（警告レベル）を下回っていることを示した場合は、超音波信号の受信強度が検出可能な下限レベルに近づいている旨のメッセージが投射面に投射されるように投射データを変更する。
【００５９】
キャンセル信号生成部８０は、予め設定された条件を満たした場合に、キャンセル信号を筆跡データ変更部７０に出力する。より具体的には、キャンセル信号生成部８０は、筆跡データ変更部７０から筆跡データの変更履歴を取得し、例えば、変更後に予め設定された時間が経過した筆跡データの変更部分について変更前の状態に戻すためのキャンセル信号を筆跡データ変更部７０に出力する。また、キャンセル信号生成部８０は、これに替えて、手書入力装置２００の先端が投射面に一旦接触してから離れるまでを筆跡の一単位とし、現在入力中の文字の筆跡単位よりも前の筆跡における変更部分について変更前の状態に戻すためのキャンセル信号を筆跡データ変更部７０に出力する。筆跡データ変更部７０は、キャンセル信号を受け取ると、その内容に応じて筆跡データの変更部分について変更前の状態に戻した筆跡データを筆跡データ生成部６０に生成させる。
【００６０】
また、本例では、筆跡データ生成部６０によって生成された筆跡データはＰＣハードディスク５５に記憶される。ここで、ＰＣハードディスク５５には、筆跡データ変更部７０により変更された筆跡データではなく、変更される前の筆跡データが記録される。したがって、ユーザーへの警告などのために投射面に筆跡を表示させるための筆跡データを変更しつつ、ＰＣハードディスク５５に記憶する筆跡データには当該変更を行わないので、手書き入力された文字などの筆跡をそのままのデータとして保存することができる。なお、筆跡データ変更部７０による筆跡データの変更内容を別個のデータとしてＰＣハードディスク５５に記憶させてもよい。
【００６１】
次に、画像が投射されているスクリーンの投射面に対して、文字や図形などの情報を手書き入力するために用いられる手書入力装置２００の構成について説明する。
【００６２】
図２は、手書入力装置２００の概略構成図である。手書入力装置２００は、例えばホワイトボードマーカーと同程度の大きさで携行可能な電子ペンであり、図２に示すように、装置本体２１０と、装置本体２１０から突出する突出部２２０と、を備える。また、装置本体２１０には、スイッチ２１１、電源部２１２、残量検出回路２１３、感圧部２１４、発光部２１５、および超音波出力部２１６が設けられている。なお、発光部２１５および超音波出力部２１６は、本発明における信号送信部の一例である。
【００６３】
突出部２２０は、図２に破線で示す位置まで装置本体２１０に押し込むことができる。また、突出部２２０の装置本体２１０側の端部には例えば弦巻ばねなどの弾性部材（図示せず）が配されており、突出部２２０は、当該弾性部材から装置本体２１０から押し出される方向の弾性力を受けている。したがって、突出部２２０を投射面に当接させて装置本体２１０に押し込んだ状態で、突出部２２０を投射面から離せば、突出部は再び装置本体２１０から押し出されて元の位置に戻る。
【００６４】
スイッチ２１１は、電源部２１２から手書入力装置２００の各部への電力の供給または停止を切り替えるための切り替えスイッチを有する。また、スイッチ２１１は、手書入力装置２００の各種機能を実行するためのスイッチや、投射面に表示される筆跡の線の太さや線の色などの設定を変更するためのスイッチを含んでもよい。
【００６５】
電源部２１２は、手書入力装置２００の電源であり、手書入力装置２００の各部へ供給するための電力が蓄電されたバッテリー、および当該バッテリーからの電圧を安定化させる低電圧回路を有する。上記バッテリーは、例えばマンガン電池、あるいはアルカリ電池などの一次電池でもよいが、例えばリチウム電池、リチウムポリマー電池、リチウムイオン電池、ニッケル水素電池、あるいはニッケルカドミウム電池などの二次電池が好ましく用いられる。なお、電源部２１２は、容易に交換可能なように配されることが好ましい。
【００６６】
残量検出回路２１３は、電源部２１２から手書入力装置２００の各部へ供給される電力を検出する。より具体的には、残量検出回路２１３は、例えば電源部２１２の出力電圧を検出する電圧検出回路と信号出力回路を有し、電源部２１２の出力電圧の大きさを示す信号を信号出力回路から発光部２１５へ出力する。
【００６７】
感圧部２１４は、突出部２２０が装置本体２１０に押し込まれたことを検出する。感圧部２１４は、例えば圧電素子と電圧増幅回路などで構成され、突出部２２０が装置本体２１０に押し込まれたことに応じて、発光部２１５に対して信号を出力する。なお、突出部２２０が装置本体２１０に押し込まれたことを検出するための構成は本例に限られない。例えば、感圧部２１４に替えて装置本体２１０に押し込まれたことに伴う突出部２２０の変異を検出するセンサーを設けてもよい。
【００６８】
発光部２１５は、本例では電源部２１２から供給される電力により赤外光を発光する発光ダイオードと、電源部２１２から当該発光ダイオードへ供給される電力を、感圧部２１４および残量検出回路２１３からそれぞれ与えられる信号に応じて制御する制御回路を有する。具体的には、上記制御回路は、感圧部２１４から信号を受け取ったことに応じて、電源部２１２から上記発光ダイオードへの電力の供給をオンする。
【００６９】
そして、残量検出回路２１３からの信号に基づいて、上記発光ダイオードが電源部２１２のバッテリーの残量（電源部２１２の出力電圧の大きさ）に応じた周波数でパルス発光するように電源部２１２から供給される電力を制御する。発光部２１５が発光する赤外光は、上記のように赤外光検出部１６０において受光される。
【００７０】
なお、本例では、突出部２２０が装置本体２１０に押し込まれた際に発光する赤外光の発光状態をバッテリーの残量に応じて変化させているが、バッテリーの残量を送信する形態はこれに限られない。例えば、超音波出力部２１６からの超音波信号をバッテリーの残量に応じて変調してもよく、また、バッテリーの残量を、光、電磁波、あるいは赤外光など所望の信号形態で残量検出回路２１３から直接送信するとともに、プロジェクター１００またはＰＣ５０に当該信号の検出部を設けてもよい。
【００７１】
超音波出力部２１６は、電源部２１２からの電力の供給を受けて超音波信号を出力する。超音波出力部２１６から出力される超音波信号は、上記のように、超音波検出部１７０に設けられた２つの超音波受信器において超音波出力部２１６からの距離の差に応じたタイミングで受信される。
【００７２】
このように、手書入力装置２００は、投射面に突出部２２０が押し付けられている場合のみ発光部２１５が赤外光を発光するので、手書入力装置２００からの赤外光を検出することで、ユーザーが手書入力装置２００を用いて投射面に手書き入力しているか否かを容易に検出することができる。なお、ユーザーが手書入力装置２００で手書き入力をせずに例えば投射面に投射されている画像の特定部分を指し示している状態では、超音波出力部２１６から出力される超音波信号のみが検出される。したがって、この状態では、ＰＣ５０の筆跡データ生成部６０では筆跡データは生成されないが、手書き入力時と同様に手書入力装置２００が指し示している位置の座標の特定が行われてもよい。
【００７３】
図３および図４は、本システムを用いてスクリーンの投射面に文字や図形などを手書き入力する際の本システムにおける処理フローの一例を示す。本フローでは、まず、プロジェクター１００の投射部１５０によってスクリーンの投射面に画像が投射され（ステップ１００）、プロジェクター１００の赤外光検出部１６０および超音波検出部１７０によって手書入力装置２００からの赤外光および超音波信号が検出される（ステップＳ１０５）。
【００７４】
そして、赤外光検出部１６０および超音波検出部１７０で手書入力装置２００からの赤外光および超音波信号を受信すると（ステップＳ１０５：ＹＥＳ）、ＰＣ５０の筆跡データ生成部６０によって、手書入力装置２００による手書き入力位置が特定され（ステップＳ１１０）、当該入力位置の移動軌跡上に予め設定された太さや色の線を表示させるための筆跡データが生成される（ステップＳ１１５）。そして、生成された筆跡データは、筆跡データ生成部６０によって、ＰＣ５０からプロジェクター１００に供給される投射データと合成される。なお、赤外光および超音波信号のいずれも受信していないか、あるいは超音波信号のみを受信した場合（ステップＳ１０５：ＮＯ）は、筆跡データ生成部６０によって筆跡データは生成されない。
【００７５】
次に、手書入力装置２００からの信号（赤外光および超音波信号）に基づいてプロジェクター１００の赤外光検出部１６０および超音波検出部１７０から出力される受光タイミングデータおよび信号レベルデータの内容に基づいて、筆跡データ生成部６０で生成された筆跡データが筆跡データ変更部７０によって変更される（ステップＳ１２０〜Ｓ１３５）。
【００７６】
図５から図１０は、手書入力装置２００によって投射面に文字を手書き入力している様子を示す図である。図５および図６に示すように、超音波検出部１７０からの信号レベルデータが、超音波信号の受信状態が良好であることを示すものであり（ステップＳ１２０：ＹＥＳ）、さらに、赤外光検出部１６０からの受光タイミングデータが、手書入力装置２００のバッテリーの残量が十分である（警告レベルを上回っている）ことを示すものである場合（ステップＳ１３０：ＹＥＳ）は、筆跡データ変更部７０は筆跡データ生成部６０で生成された筆跡データを変更しない。したがって、筆跡データ生成部６０で生成された筆跡データはそのまま投射データに合成されて投射面に筆跡として投射される（ステップＳ１４０）。
【００７７】
一方、超音波検出部１７０からの信号レベルデータが、超音波信号の信号レベルが警告レベルを下回っていることを示した場合（ステップＳ１２０：ＮＯ）、筆跡データ変更部７０によって、手書入力装置２００による入力中の文字の筆跡が破線で表示されるように、筆跡データ生成部６０で生成された筆跡データが変更される（ステップＳ１２５）。また、このとき、筆跡データ変更部７０によって、超音波信号の受信強度が検出可能な下限レベルに近づいている旨のメッセージが投射面に投射されるように投射データが変更される。
【００７８】
さらに、赤外光検出部１６０からの受光タイミングデータが、電源部２１２のバッテリーの残量が警告レベルを下回っていることを示した場合（ステップＳ１３０：ＮＯ）、筆跡データ変更部７０によって、手書入力装置２００による入力中の文字の筆跡がグレーなどのより薄い色で表示されるように、筆跡データ生成部６０で生成された筆跡データが変更される（ステップＳ１３５）。また、このとき、筆跡データ変更部７０によって、電源部２１２のバッテリーの残量が警告レベルを下回っている旨のメッセージが投射面に投射されるように投射データが変更される。
【００７９】
そして、変更された筆跡データは、筆跡データ生成部６０によって、投射データに合成される（ステップＳ１４０）。これにより、超音波検出部１７０で受信される超音波信号の信号レベルが警告レベルを下回っている場合、すなわち、手書入力装置２００とプロジェクター１００の間で何らかの通信障害が生じたり、あるいは、超音波出力部２１６からの超音波信号が超音波検出部１７０で検出可能なレベルを下回る程度にプロジェクター１００と手書入力装置２００との距離が離れた場合は、図７に示すように、手書入力装置２００による入力中の文字の筆跡が破線で表示されるとともに、「リモート信号の検出レベルが十分ではありません」との警告メッセージが投射面に投射される。また、電源部２１２のバッテリーの残量が警告レベルを下回っている場合は、図８に示すように、手書入力装置２００による入力中の文字の筆跡がそれまでよりも薄い色で表示されるとともに、「電池残量が少なくなっています」との警告メッセージが投射面に投射される。
【００８０】
また、超音波検出部１７０で受信される超音波信号の信号レベルが警告レベルを下回り、さらに、電源部２１２のバッテリーの残量が警告レベルを下回った場合は、図示は省略するが、手書入力装置２００による入力中の文字の筆跡が破線かつ薄い色で表示される。また、このとき、上記２種類の警告メッセージの両方が投射面に投射される。なお、超音波検出部１７０で受信される超音波信号の信号レベルが警告レベルを下回っている場合に、本例の警告メッセージに替えて、信号の受信強度を示す図形や数字などを投射面に投射しても良い。
【００８１】
そして、筆跡データ変更部７０によって変更された筆跡データに基づいて手書入力装置２００による入力中の文字の筆跡が破線や淡色で投射されている状態において、キャンセル信号生成部８０は、例えば「新たに一画分手書きされる毎にこれまでに手書きされた部分についての筆跡データの変更はキャンセルする」ことを条件として設定している場合、図９および図１０に示すように、図７および図８に示す状態から新たに一画分手書きすると（ステップＳ１４５：ＹＥＳ）、それまでに破線や淡色で投射されていた部分の筆跡データが変更前の状態に戻されて（ステップＳ１５０）、投射データと合成されて投射される（ステップＳ１５５）。また、筆跡データが変更前の状態に戻されるのに併せて、警告メッセージも消去されるように筆跡データ変更部７０によって投射データが変更される。したがって、警告メッセージが手書き入力の邪魔になりにくい。
【００８２】
なお、図７および図８に示す状態から新たに一画分が完全に手書きされるまでは（ステップＳ１４５）、変更部分は元の状態には戻らないが、上記のキャンセル条件を変更後の時間で設定した場合は、時間の経過とともに順次に筆跡データが変更前の状態に戻される。以上により本フローは終了する。
【００８３】
以上のように、本実施形態に係る筆跡データ生成システム１０によれば、手書入力装置２００を用いて文字や図形などを投射面に手書き入力するユーザーは、例えばバッテリーの残量が少なくなっているなどの手書入力装置２００の状態を、書き込み中の文字などの筆跡の変化から容易に知ることができる。また、ユーザーは、手書入力装置２００が当該状態となっていることを、投射面に投射されるメッセージからも知ることができる。
【００８４】
なお、本例では、手書入力装置２００の位置および状態を示す信号として、発光部２１５から出力される赤外光および超音波出力部２１６から送信される超音波信号を例示したが、当該信号が示す内容はこれに限られない。例えば、手書入力装置２００の内部設定などの情報などを含む信号を手書入力装置２００から送信しても良い。また、手書入力装置２００から送信される信号の種類も本例の赤外光および超音波信号に限られず、近距離通信用周波数帯（例えば２．４ＧＨｚ帯）の電波信号であってもよい。また、筆跡データ変更部７０による筆跡データの変更結果についても、本例のように破線や淡色による表示に限られない。例えば、筆跡の変更対象の部分の線の太さを変えたり当該部分が点滅表示されるように筆跡データを変更してもよい。
【００８５】
また、本例では、手書入力装置２００からの赤外光および超音波信号を受信することで手書入力装置２００の位置および状態を特定しているが、当該位置および状態を特定する方式は本例に限られない。例えば、スクリーンに位置情報を示すマークあるいはバーコードなどが印字または表示されており、手書入力装置２００がカメラによる撮像あるいはセンサーによるセンシングで当該マークあるいはバーコードを読み取って位置情報を取得しても良い。また、この場合、手書入力装置２００は、自らの位置情報およびバッテリーの残量などを含む情報を種々の方式でプロジェクター１００またはＰＣ５０に無線送信してもよい。
【００８６】
また、手書入力装置２００の先端位置を特定する方式は、本例に限られない。他の例として、例えば、ＧＰＳ方式、光学方式、電磁誘導方式などであってもよい。なお、これらの方式の場合、手書入力装置２００に各種の検出データに基づいて自身の位置情報を算出する演算処理回路を設けてもよい。また、スクリーン側に手書入力装置２００の先端位置を検出する構成を有する場合は、手書入力装置２００に本例のように超音波信号を出力する構成を設ける必要はなく、赤外光を出力する構成を備えていればよい。
【００８７】
また、本実施形態では、プロジェクター１００として、スクリーンの投射面に対して正面から画像光を投射する形態を例示したが、プロジェクター１００は、例えば図１１および図１２に示すようにスクリーンの上方に設置されて当該上方から投射面に画像光を投射する直上投射型のプロジェクターであってもよい。このようにスクリーンの上方から画像光を投射することで、スクリーンの前に立っているプレゼンターが眩しさを感じにくくすることができる。
【００８８】
また、本実施形態では、光源からの光を光変調部である液晶ライトバルブによって変調し投射する液晶３板式プロジェクター１００を含む筆跡データ生成システム１０を例示したが、本発明に係る筆跡データ生成システムはその他の方式を採用するプロジェクターを用いてもよい。より具体的には、ＤＭＤ（Digital Micromirror Device）を用いた投射方式、所謂、ＤＬＰ（Digital Light Processing）（登録商標）方式を採用するプロジェクターを用いてもよい。ここで、ＤＬＰ方式は、白色に光るランプの光をレンズで集光してＤＭＤに当て、ＤＭＤの個々のミラーがオン状態に傾いているときの光を他のレンズで拡大し、スクリーンに投射する方式である。また、本実施形態では、光源として放電式ランプを用いて投射するプロジェクター１００を含む筆跡データ生成システム１０を例示したが、光源としてＬＥＤ光源やレーザー光源などを用いて投射するプロジェクターを用いてもよい。
【００８９】
また、本実施形態では、プロジェクター１００の赤外光検出部１６０および超音波検出部１７０によって手書入力装置２００からの信号を受信し、ＰＣ５０の筆跡データ生成部６０で手書入力装置２００による投射面上の入力位置または指示位置を特定して筆跡に反映させる方式を例示したが、本発明に係る筆跡データ生成システム１０は、当該方式に限定されない。他の例として、例えば、プロジェクター１００によってスクリーンに画像を投射する形態に替えて、画像の表示機能を備えたスクリーンを用いてもよく、この場合、プロジェクター１００が不要となることから、上記実施形態ではプロジェクター１００に設けられていた赤外光検出部１６０および超音波検出部１７０をＰＣ５０に設けても良い。また、これに替えて、スクリーンの前方あるいは周縁部に赤外光検出部１６０および超音波検出部１７０を設けて、これらで受信した信号をＰＣ５０に有線または無線により送信してもよい。
【００９０】
また、さらに他の例として、プロジェクター１００がＰＣ５０の各機能を備えてもよい。すなわち、例えば、プロジェクター１００にＰＣ表示部５２に相当する表示部を設けるとともに、記憶部１１７に画像データを記憶させてもよく、また、この場合、プロジェクター１００の本体に設けられた操作パネル（図示せず）がＰＣ操作部５８に対応する機能を有してもよい。
【００９１】
以上、本発明を実施の形態を用いて説明したが、本発明の技術的範囲は上記実施の形態に記載の範囲には限定されない。上記実施の形態に、多様な変更または改良を加えることができることは当業者に明らかである。
【符号の説明】
【００９２】
１０…筆跡データ生成システム、５０…パーソナルコンピューター（ＰＣ）、５１…ＰＣ通信部、５２…ＰＣ表示部、５３…ＰＣ電源部、５４…ＰＣＩ／Ｏブリッジ部、５５…ＰＣハードディスク、５６…ＰＣ制御部、５７…ＰＣ記憶部、５８…ＰＣ操作部、５９…ＰＣ操作受付部、６０…筆跡データ生成部、７０…筆跡データ変更部、８０…キャンセル信号生成部、１００…プロジェクター、１１０…ランプ、１１１…光学部、１１２…液晶パネル駆動部、１１３…ランプ駆動部、１１４…電源部、１１５…操作受付部、１１６…制御部、１１７…記憶部、１１８…画像処理部、１１９…通信部、１２０…Ｉ／Ｏブリッジ部、１５０…投射部、１６０…赤外光検出部、１７０…超音波検出部、２００…手書入力装置、２１０…装置本体、２１１…スイッチ、２１２…電源部、２１３…残量検出回路、２１４…感圧部、２１５…発光部、２１６…超音波出力部、２２０…突出部
【図１】
0005533127.tif 000002
【図２】
0005533127.tif 000003
【図３】
0005533127.tif 000004
【図４】
0005533127.tif 000005
【図５】
0005533127.tif 000006
【図６】
0005533127.tif 000007
【図７】
0005533127.tif 000008
【図８】
0005533127.tif 000009
【図９】
0005533127.tif 000010
【図１０】
0005533127.tif 000011
【図１１】
0005533127.tif 000012
【図１２】
0005533127.tif 000013